(57)【要約】【課題】プラズマディスプレイパネルを提供する。【解決手段】映像表示面を提供する前面基板１１０、前面基板１１０と対向するように配置された背面基板１２０、基板１１０、１２０間に配置されて複数の放電セルＲ、Ｇ、Ｂを画定する隔壁１２７、放電を起こすように放電セルを横切って延びた複数の放電電極１１４、放電セル内に塗布される第１蛍光体１２５、第１蛍光体につながって連続的に塗布されて隔壁の前面に形成される第２蛍光体１２６、及び放電セルＲ、Ｇ、Ｂ内に充填された放電ガスを備え、前面基板１１０は第１色相で着色され、第１蛍光体１２５及び第２蛍光体１２６のうち、少なくとも一つの放電セルＲ、Ｇ、Ｂ内に塗布される第１蛍光体１２５と第１蛍光体につながって塗布された第２蛍光体１２６とは、第２色相で着色されている。【選択図】図３
2008117752.tif 000002
【特許請求の範囲】
【請求項１】
映像表示面を提供する前面基板と、
前記前面基板と対向するように配置された背面基板と、
前記前面基板と前記背面基板との間に配置され、複数の放電セルを画定する隔壁と、
前記放電セル内で放電を起こすように前記放電セルを横切って延びた複数の放電電極と、
前記放電セル内に塗布される第１蛍光体と、
前記第１蛍光体につながって連続的に塗布されて、前記隔壁の前面に形成される第２蛍光体と、
前記放電セル内に充填された放電ガスと、を備え、
前記前面基板は第１色相で着色され、
前記第１蛍光体及び前記第２蛍光体のうち、少なくとも一つの前記放電セル内に塗布される前記第１蛍光体及びつながって塗布された前記第２蛍光体は、第２色相で着色されることを特徴とするプラズマディスプレイパネル。
【請求項２】
前記第１色相及び前記第２色相は、互いに異なる色で選択されることを特徴とする請求項１に記載のプラズマディスプレイパネル。
【請求項３】
前記第１色相及び前記第２色相は、互いに補色関係を構成する色で選択されることを特徴とする請求項１に記載のプラズマディスプレイパネル。
【請求項４】
前記第１色相及び前記第２色相は、それぞれ青色及び橙色のうち互いに排他的な色で選択されることを特徴とする請求項３に記載のプラズマディスプレイパネル。
【請求項５】
前記第１蛍光体は、前記放電セル内に塗布され、互いに異なる副画素を形成するように、その発光色によってＲ（レッド）、Ｇ（グリーン）、Ｂ（ブルー）蛍光体に区分され、前記蛍光体のうちの少なくとも一種以上は、前記第２色相で着色されることを特徴とする請求項１に記載のプラズマディスプレイパネル。
【請求項６】
前記Ｒ蛍光体及びＢ蛍光体は前記第２色相で着色される一方、前記Ｇ蛍光体は着色されないことを特徴とする請求項５に記載のプラズマディスプレイパネル。
【請求項７】
前記隔壁は、前記放電セルの間で一方向に延びる垂直隔壁部と前記垂直隔壁部を互いに連結するように平行に延びる水平隔壁部とを備えることを特徴とする請求項１に記載のプラズマディスプレイパネル。
【請求項８】
前記第２蛍光体は、前記水平隔壁部上の少なくとも一部に形成されることを特徴とする請求項７に記載のプラズマディスプレイパネル。
【請求項９】
前記水平隔壁部上には、前記第２蛍光体を収容するために、その長手方向に沿ってグルーブが形成されていることを特徴とする請求項８に記載のプラズマディスプレイパネル。
【請求項１０】
隣接し合う前記水平隔壁部の間には、一定のギャップを確保するためのブリッジが所定間隔をおいて平行に形成されていることを特徴とする請求項７に記載のプラズマディスプレイパネル。
【請求項１１】
前記第２蛍光体は、前記水平隔壁部及び前記ブリッジ上に共に形成されていることを特徴とする請求項１０に記載のプラズマディスプレイパネル。
【請求項１２】
前記隔壁の上部は、第３色相で着色されることを特徴とする請求項１に記載のプラズマディスプレイパネル。
【請求項１３】
前記第３色相は、前記前面基板に着色された第１色相と補色関係にある色で選択されることを特徴とする請求項１２に記載のプラズマディスプレイパネル。
【請求項１４】
前記第１蛍光体及び前記第２蛍光体は、ディスペンサー工法によって一括して共に塗布されることを特徴とする請求項１に記載のプラズマディスプレイパネル。
【請求項１５】
映像表示面を提供する前面基板と、
前記前面基板と対向するように配置された背面基板と、
前記前面基板と前記背面基板との間に配置され、複数の放電セルを画定する隔壁と、
前記放電セル内で放電を起こすように前記放電セルを横切って延びた複数の放電電極と、
前記放電電極を埋め込むように前記前面基板に形成され、第１色相で着色された前方誘電体層と、
前記放電セル内に塗布され、少なくとも一部の放電セルに対応するように第２色相で着色された第１蛍光体と、
前記第１蛍光体につながって塗布されて、前記隔壁の前面に形成された第２蛍光体と、
前記放電セル内に充填された放電ガスと、
を備えるプラズマディスプレイパネル。
【請求項１６】
前記第１色相及び前記第２色相は、互いに補色関係を構成する色で選択されることを特徴とする請求項１５に記載のプラズマディスプレイパネル。
【請求項１７】
前記隔壁は、前記放電セルの間で一方向に延びる垂直隔壁部と前記垂直隔壁部を互いに連結するように平行に延びる水平隔壁部とを備えることを特徴とする請求項１５に記載のプラズマディスプレイパネル。
【請求項１８】
前記第２蛍光体は、前記水平隔壁部上の少なくとも一部に形成されることを特徴とする請求項１７に記載のプラズマディスプレイパネル。
【請求項１９】
前記隔壁の上部は、第３色相で着色されることを特徴とする請求項１５に記載のプラズマディスプレイパネル。
【請求項２０】
前記第３色相は、前記前面基板に着色された前記第１色相と補色関係にある色で選択されることを特徴とする請求項１９に記載のプラズマディスプレイパネル。
【請求項２１】
前記前面基板は、前記前方誘電体層と共に前記第１色相で着色されていることを特徴とする請求項１５に記載のプラズマディスプレイパネル。
【請求項２２】
映像表示面を提供する前面基板と、
前記前面基板と対向するように配置された背面基板と、
前記前面基板と前記背面基板との間に配置されて複数の放電セルを区画し、第１色相で着色された隔壁と、
放電を起こすように前記放電セルを横切って延びた複数の放電電極と、
第１方向に沿って一列に配列された前記放電セルに対して同じ発光色で塗布される第１蛍光体と、
前記第１方向と交差する隔壁の一部に塗布される第２蛍光体と、
前記放電セル内に充填された放電ガスと、を備え、
前記第１蛍光体及び前記第２蛍光体は、互いにつながるように連続的に塗布され、同じ第２色相で着色されていることを特徴とするプラズマディスプレイパネル。
【請求項２３】
前記第１蛍光体は、第１方向に配列された各列の放電セルに対して塗布されるＲ、Ｇ、Ｂ蛍光体であることを特徴とする請求項２２に記載のプラズマディスプレイパネル。
【請求項２４】
前記放電セルは、マトリックスパターンに配列され、
前記放電セルを区画する隔壁は、前記第１方向に延びる垂直隔壁部と第２方向に延びる水平隔壁部と、を備えることを特徴とする請求項２２に記載のプラズマディスプレイパネル。
【請求項２５】
前記第１方向及び前記第２方向は、互いに直交することを特徴とする請求項２４に記載のプラズマディスプレイパネル。
【請求項２６】
前記第２蛍光体は、前記水平隔壁部上の少なくとも一部に塗布されていることを特徴とする請求項２４に記載のプラズマディスプレイパネル。
【請求項２７】
前記水平隔壁部上には、前記第２蛍光体を収容するために、その長手方向に沿ってグルーブが形成されていることを特徴とする請求項２６に記載のプラズマディスプレイパネル。
【請求項２８】
隣接した水平隔壁部の間には、一定のギャップを確保するためのブリッジが所定間隔をおいて平行に形成され、前記ブリッジ上にも前記第２蛍光体が塗布されていることを特徴とする請求項２６に記載のプラズマディスプレイパネル。
【請求項２９】
前記前面基板は、第３色相で着色されていることを特徴とする請求項２２に記載のプラズマディスプレイパネル。
【請求項３０】
前記第１色相及び前記第２色相は、前記第３色相と補色関係にある色で同一に選択されることを特徴とする請求項２９に記載のプラズマディスプレイパネル。
【請求項３１】
前記第１色相及び前記第２色相は、青色及び橙色のうち一つの色で同一に選択され、前記第３色相は前記選択された色と異なる残りの色から選択されることを特徴とする請求項３０に記載のプラズマディスプレイパネル。
【発明の詳細な説明】
【技術分野】
【０００１】
本発明は、プラズマディスプレイパネル（Ｐｌａｓｍａ  Ｄｉｓｐｌａｙ  Ｐａｎｅｌ：ＰＤＰ）に係り、さらに詳細には、別途の光吸収部材を使わず、減算混合原理及び補色効果を利用して明室コントラストを向上させたＰＤＰに関する。
【背景技術】
【０００２】
ＰＤＰは、ガス放電現象を利用して画像を表示する平板表示パネルであり、表示容量、輝度、コントラスト、残像、及び視野角などの各種表示能力に優れている。また、ＰＤＰは薄型であり、大画面表示が可能でＣＲＴ（Ｃａｔｈｏｄ  Ｒａｙ  Ｔｕｂｅ）を代替できる次世代平板表示パネルとして脚光を浴びている。
【０００３】
一般的なＰＤＰでは、両基板の間に配列された複数の放電セル内で放電を起こした後、放電の結果で生成された紫外線を視聴者が感知できる可視光に変換し、これを外部に放出することによって、所定の映像を具現する。
【０００４】
このとき、透明な前面基板を介して外部から流入された可視光が、白色透明な誘電体層、白色隔壁、または外見上白色を帯びる蛍光体などに反射された後、さらに前面基板を介して放出されれば、反射輝度が増加し、これにより、ＰＤＰの明室コントラストが減少する。
【０００５】
一方、前記放電セル内には、画素を形成するためのＲ（レッド）、Ｇ（グリーン）、Ｂ（ブルー）の蛍光体が塗布される。ここで、一定の速度で進むディスペンサーノズルを通じて蛍光体ペーストを噴射することによって、一列の放電セルに対する一括した塗布が行われるディスペンサー方式で塗布される場合、放電セルを画定する隔壁の一部にも蛍光体が形成されうる。しかし、一般的に外見上、白色を帯びるＲ、Ｇ、Ｂ蛍光体が隔壁上に配置されれば、外部から流入された入射光の反射を促進するので、明室コントラストが低下するという問題が発生する。
【発明の開示】
【発明が解決しようとする課題】
【０００６】
本発明は、別途の光吸収部材を使わず、減算混合原理及び補色効果を利用して明室コントラストを向上させたＰＤＰを提供することを目的とする。
【０００７】
また、本発明は、蛍光体塗布方式による画質低下を防止し、ディスペンサーによる蛍光体配置構造を積極的に活用して、明室コントラストをさらに向上させたＰＤＰを提供することを他の目的とする。
【課題を解決するための手段】
【０００８】
前記目的及びその他の目的を達成するための本発明に係るＰＤＰは、映像表示面を提供する前面基板と、前記前面基板と対向するように配置された背面基板と、前記前面基板と前記背面基板との間に配置されて複数の放電セルを画定する隔壁と、放電を起こすように前記放電セルを横切って延びた複数の放電電極と、前記放電セル内に塗布される第１蛍光体と、前記第１蛍光体につながって連続的に塗布されて、前記隔壁の前面に形成される第２蛍光体と、前記放電セル内に充填された放電ガスと、を備え、前記前面基板は第１色相で着色され、前記第１蛍光体及び第２蛍光体のうち、少なくとも一つの放電セル内に塗布される第１蛍光体と第１蛍光体につながって塗布された第２蛍光体とは、第２色相で着色されることを特徴とする。
【０００９】
一方、本発明の他の側面によるＰＤＰは、映像表示面を提供する前面基板と、前記前面基板と対向するように配置された背面基板と、前記前面基板と前記背面基板との間に配置されて複数の放電セルを画定する隔壁と、放電を起こすように前記放電セルを横切って延びた複数の放電電極と、前記放電電極を埋め込むように前記前面基板に形成され、第１色相で着色された前方誘電体層と、前記放電セル内に塗布されるが、少なくとも一部放電セルに対応しては第２色相で着色された第１蛍光体と、前記第１蛍光体につながって塗布されて、前記隔壁の前面に形成された第２蛍光体と、前記放電セル内に充填された放電ガスと、を備えることを特徴とする。
【００１０】
一方、本発明のさらに他の側面によるＰＤＰは、映像表示面を提供する前面基板と、前記前面基板と対向するように配置された背面基板と、前記前面基板と前記背面基板との間に配置されて複数の放電セルを画定し、第１色相で着色された隔壁と、放電を起こすように前記放電セルを横切って延びた複数の放電電極と、第１方向に沿って一列に配列された前記放電セルに対して同じ発光色で塗布される第１蛍光体と、前記第１方向と交差する隔壁の一部に塗布される第２蛍光体と、前記放電セル内に充填された放電ガスと、を備え、前記第１蛍光体及び前記第２蛍光体は、互いにつながるように連続的に塗布され、同じ第２色相で着色されていることを特徴とする。
【発明の効果】
【００１１】
以上のように構成された本発明に係るＰＤＰは、従来の一般的に通用された白色隔壁や白色蛍光体の代わりに、着色隔壁及び着色蛍光体を適用することによって、白色要素による外光反射を減少させることができる。
【００１２】
また、補色関係にある色相を互いに重複する位置に配色することによって、これらが減算混合されて全体的に映像表示面が黒色を帯びるようにする。これにより、従来の外光吸収のための別途のブラックストライプが不要となるので、製造コストが節減され、製造段階が簡素化され、生産収率が増加するという効果がある。また、従来には、ブラックストライプが形成された非表示領域に限定して外光吸収が行われたが、本発明では、表示領域と非表示領域とをいずれも包括し、事実上、映像表示面の全面にわたって外光吸収が行われるという利点がある。
【００１３】
特に、反射輝度の減少のために着色隔壁が使われた場合、ディスペンサー方式によって着色された隔壁上に従来の白色蛍光体がそのまま露出されると、白色蛍光体による明室コントラストの減少がさらに著しく現れる。これを、着色蛍光体を使用して、このような問題を構造的に解決することができる。
【発明を実施するための最良の形態】
【００１４】
以下、添付された図面を参照して、本発明の望ましい実施形態について詳細に説明する。
【００１５】
〔第１実施形態〕
図１は本発明の第１実施形態に係るＰＤＰの分解斜視図を、図２及び図３はそれぞれ図１のＩＩ−ＩＩ線及びＩＩＩ−ＩＩＩ線による断面図を示したものである。図面を参照すれば、ＰＤＰは、所定間隔離隔して上下に対面するように配置された前面基板１１０と背面基板１２０を備える。また、前面基板１１０と背面基板１２０との間には、複数個の放電セルＲ（レッド）、Ｇ（グリーン）、Ｂ（ブルー）を画定する隔壁１２７（１２３、１２４）を備える。
【００１６】
前面基板１１０及び背面基板１２０は、ガラスを主素材とするガラス基板で構成される。隔壁１２３、１２４は、放電セルＲ、Ｇ、Ｂの間ごとにｘ方向に延びた垂直隔壁部１２３と、垂直隔壁部１２３を相互連結するようにｙ方向に延びた水平隔壁部１２４とを備え、マトリックスパターンに形成される。カラー映像を構成するためのディスプレイでは、一般的に光の３原色である赤色、緑色、及び青色を発光する３個の放電セルＲ、Ｇ、Ｂが集まって一つの画素となる。ここで、３個の放電セルＲ、Ｇ、Ｂが集まってなる一つの画素は、隔壁１２３、１２４に囲まれて隣接した画素と区分され、画素の間には、排気通路１５０が形成される。排気通路１５０は、排気−封入工程で不純ガスの排出経路及び放電ガスの流入経路として提供されることができる。
【００１７】
一方、隔壁１２３、１２４製造のための焼成工程時、隔壁ペーストに含まれていた揮発性溶媒が蒸発することで隔壁パターンが収縮し、固形状にかたく固まる。この過程で、剛性が相対的に脆弱な排気通路１５０付近の隔壁１２３、１２４パターンが歪曲して変形されることもあるので、隣接した水平隔壁部１２４の間に隔壁ブリッジ１３０を間欠的に配置して、隔壁１２３、１２４パターンの変形を防止することができる。但し、隔壁ブリッジ１３０は、本発明で事選択的な事項であり、必須な構成ではない。
【００１８】
前面基板１１０には、対をなして平行に延びる放電電極１１４が配置される。放電電極１１４の間で行われる表示放電によって、放電セルＲ、Ｇ、Ｂ内に充填された放電ガスが励起され、その結果、生成された紫外線が蛍光体１２５を通じて特定の単色光に変換され、これらが集まって一つのカラー画像を構成する。各放電電極１１２、１１３は、ＩＴＯ（Ｉｎｄｉｕｍ  Ｔｉｎ  Ｏｘｉｄｅ）などの光透明な導電材からなる透明電極１１２ａ、１１３ａと、透明電極１１２ａ、１１３ａと接して電源供給を担当する金属材のバス電極１１２ｂ、１１３ｂとからなる。
【００１９】
背面基板１２０には、放電電極１１４と交差する方向にアドレス電極１２２が配置され、放電電極１１４及びアドレス電極１２２は、それぞれ前面基板１１０と背面基板１２０とに塗布された前方及び後方誘電体層１１１、１２１によって埋め込まれている。
【００２０】
前方誘電体層１１１は、一般的にＭｇＯ膜からなる保護膜１１５で覆われていることが望ましい。一方、図示はしていないが、放電セルＲ、Ｇ、Ｂの内部空間は、表示放電によって励起される放電ガスが充填されている。
【００２１】
図４は、蛍光体１２５の塗布による放電セルＲ、Ｇ、Ｂの配列状態を示したものである。図４を参照すれば、隔壁１２３、１２４によって区画された放電セルＲ、Ｇ、Ｂ内には、蛍光体１２５が塗布されているが、例えば、Ｒ蛍光体１２５Ｒ、Ｇ蛍光体１２５Ｇ、及びＢ蛍光体１２５Ｂが、互いに異なる放電セルＲ、Ｇ、Ｂにそれぞれ塗布され、塗布された蛍光体１２５の種類によって、放電セルＲ、Ｇ、ＢはＲ、Ｇ、Ｂ副画素に区分され、Ｒ、Ｇ、Ｂ副画素が集まって一つの画素を形成する。
【００２２】
以上に示された本発明の第１実施形態に係るＰＤＰでは、アドレス電極１２２方向に配列された一列の放電セルＲ、Ｇ、Ｂに対して同一色相の蛍光体１２５が塗布されている。このような蛍光体１２５の配列は、ディスペンサー工法を適用するのに有利な構造であり、噴射ノズルを通じて蛍光体ペーストを該当領域に吐出する方式のディスペンサー工法を適用する際、中間に途切れることのなく連続進行する１回の工程を通じて、一列の放電セルＲ、Ｇ、Ｂに対する蛍光体１２５の塗布を共に実施することができるので、工程時間が短縮され、作業効率が向上する。ディスペンサー方式の特性上、放電セルＲ、Ｇ、Ｂの間を画定する水平隔壁部１２４、隣接し合う水平隔壁部１２４の間の隔壁ブリッジ１３０上にも放電セルＲ、Ｇ、Ｂの内部と共に蛍光体１２６が配置され、水平隔壁部１２４上の蛍光体１２６と放電セルＲ、Ｇ、Ｂ内の蛍光体１２５とは、連続的につながるように形成される。なお、以下では説明の便宜上、放電セルＲ、Ｇ、Ｂの内部に塗布された蛍光体を第１蛍光体１２５といい、水平隔壁部１２４及び隔壁ブリッジ１３０上に塗布された蛍光体を第２蛍光体１２６と称する。
【００２３】
一方、前面基板１１０は第１色相で着色されており、蛍光体１２５は前記第１色相と補色関係にある第２色相で着色されている。例えば、前記第１色相と前記第２色相との色関係は、青色−橙色の組み合わせ、つまり、補色関係を有するように選択されることができる。それぞれの前面基板１１０及び蛍光体１２５は、その内部に含まれた着色物質を通じて外見上、前記第１色相及び前記第２色相に示されるが、例えば、青色着色物質としてＭｎ、Ｎｉ、Ｃｏなどを含み、橙色着色物質としてＣｕ、Ｓｂ、Ｃｒなどを含むことができる。但し、製造工程が許容するかぎり、公知の多様な着色物質が使われてもよいということは言うまでもない。
【００２４】
互いに補色関係を構成する色で着色された前面基板１１０と蛍光体１２５、１２６とが共に外部で観察されるとき、補色同士の減算混合を通じて前面基板１１０と蛍光体１２５、１２６とが重なり合った領域は、濃黒色や少なくとも黒色に近い色を帯びる。したがって、外部からＰＤＰに入射する外光は、前記黒色領域によって吸収されて、外光反射が減少し、画面のコントラスト特性を向上させることができる。本発明では、蛍光体１２５、１２６が放電セルＲ、Ｇ、Ｂの内部だけでなく、隔壁１２４上の一部領域にも塗布されているので、前面基板１１０との減算混合を通じて外光を吸収できる領域が増加し、コントラストをさらに向上させて画像品質に寄与する。
【００２５】
図５には、減算混合を説明するための公知の色相環が示されている。減算混合は、互いに異なる色の混合によって、明度及び彩度がいずれも低下する特性をいうが、色相環で互いに近接して位置した色同士の混合は中間色となり、遠距離に位置した色同士の混合は灰色に近くなる。また、正反対の位置にある補色同士の混合は、黒色または黒色に近い色となる。補色の組合いは、示した色相環から分かるように、赤色−青緑色、黄色−青紫色、青色−橙色などと数多く存在する。
【００２６】
また、前面基板１１０は着色されず、蛍光体１２５のみ着色される構成によっても、本発明の目的とする外光反射を減少させることができる。ディスペンサー工法の特性上、隔壁１２４上の一部領域に第２蛍光体１２６が塗布されうるということは、前述した通りである。ここで、蛍光体が蛍光物質固有の白色をそのまま有するならば、外部から流入された入射光が隔壁上に露出されている白色蛍光体によって反射される可能性が大きい。特に、後述するように、外光反射を減らすために着色隔壁が適用される場合、着色隔壁上に露出された白色蛍光体は、明室コントラストを顕著に減少させるようになるので、蛍光体も共に着色されることが望ましい。
【００２７】
一般的なカラーディスプレイでは、互いに異なる単色光の組合いによってフルカラーの映像を具現しているが、各単色光は、その波長対によって全体輝度に寄与する程度が相違している。通常、光の３原色である赤色光、緑色光、及び青色光の組み合わせによって、カラーディスプレイが具現される場合が主となるが、緑色光が全体輝度で占める比重は５０％程度で、緑色光が全体輝度に最も大きい影響を与えることが知られている。したがって、Ｇ蛍光体１２５Ｇに着色物質が添加されることで発光効率が低下するならば、全体ディスプレイの輝度低下につながる可能性がある。これに対応して、あらゆる蛍光体１２５を一括して着色せず、蛍光体１２５の種類によって選択的に着色する構成も考慮することができる。例えば、輝度を維持するために、Ｇ蛍光体１２５Ｇは着色せず、残りのＲ蛍光体１２５Ｒ及び／またはＢ蛍光体１２５Ｂのみを着色してもよい。また、各蛍光体１２５によって互いに異なる発光効率を考慮して、例えば、発光効率の最も低いＢ蛍光体１２５Ｂには着色物質を添加せず、残りのＲ蛍光体１２５Ｒ及び／またはＧ蛍光体１２５Ｂのみを着色することにより、全体的な色感の均衡を図ってもよい。
【００２８】
〔第２実施形態〕
図６は、本発明の第２実施形態に係るＰＤＰの垂直断面構造を示したものである。本実施形態でも前述のように、補色関係にある第１色相と第２色相とが互いに重複するように配置されることによって、外光吸収に有利な黒色を作り出す。例えば、前記第１色相及び前記第２色相は、青色−橙色の補色組合いで選択されてもよいが、図５に示す多様な色相の組合いが考慮される。本実施形態の相違点は、着色層として前面基板１１０の代わりに、前方誘電体層１１１’が使われることであり、第１色相で着色された前方誘電体層１１１’と第２色相で着色された蛍光体１２５、１２６とが重なり合った領域は、外見上、黒色を帯びて、外光吸収に寄与するということは前述のものと同様である。着色層として提供される構成要素は、着色工程の便宜と外見上感知される着色効果などを考慮して適切に選択される。前方誘電体層１１１’は、その内部に含まれた着色物質を通じ、外見上、第１色相に見え、例えば、青色着色物質としては、Ｍｎ、Ｎｉ、Ｃｏなどがあり、橙色着色物質としては、Ｃｕ、Ｓｂ、Ｃｒなどがあるが、他の選択された色相を作り出すための公知の多様な着色物質が使われる。
【００２９】
放電セルＲ、Ｇ、Ｂ内には、第１蛍光体１２５が塗布されており、放電セルＲ、Ｇ、Ｂを画定する水平隔壁部（図示せず）及び隔壁ブリッジ（図示せず）の上面には、前記第１蛍光体１２５と連続的につながる第２蛍光体１２６が塗布されていることは、図１を参照して説明した通りである。このような蛍光体１２５、１２６の配置構造は、一列の放電セルＲ、Ｇ、Ｂに対して連続的に蛍光体１２５、１２６を塗布するディスペンサー工法を通じて自然に得られる。
【００３０】
〔第３実施形態〕
図７には、本発明の第３実施形態に係るＰＤＰの模式的な平面構造が示されている。示されたＰＤＰでは、第１色相で着色された隔壁１２３’、１２４’が適用されたという点で前述の実施形態とは異なる。隔壁１２３’、１２４’が材料固有の白色より明度の低い色相で着色されることにより、外部流入光の反射を減少させることができる。
【００３１】
一方、前述のように蛍光体１２５、１２６をディスペンサー工法によって塗布するとき、放電セルＲ、Ｇ、Ｂの内部と共に隔壁１２３’、１２４’上にも蛍光体１２５、１２６が形成される。ここで、蛍光体１２５、１２６が蛍光物質固有の白色をそのまま維持すれば、着色隔壁１２３’、１２４’上に形成された白色蛍光体によって外光の反射輝度が著しく増加してしまうので、蛍光体１２５、１２６も隔壁１２３’、１２４’と共に着色されることが望ましい。このような蛍光体１２５、１２６の着色の効果は、着色隔壁１２３’、１２４’上に白色蛍光体が採用された比較例と、着色隔壁１２３’、１２４’上に着色蛍光体１２５、１２６が採用された本実施形態とで、それぞれ外光反射輝度及び明室コントラストを比較することによって明確に確認することができる。すなわち、前記白色蛍光体が採用された比較例での外光反射輝度は、約１３ｃｄ／ｍ２と相対的に高く測定される。しかし、同じ実験条件で着色蛍光体１２５、１２６が共に採用された本実施形態では、外光反射輝度が約１１ｃｄ／ｍ２に減少する。このような外光反射輝度の変化は、映像品質の尺度となる明室コントラスト比にそのまま反映されるが、ここで、明室コントラスト比は、以下のように定義される。
【００３２】
【数１】
2008117752.tif 000003
【００３３】
ここで、ピーク輝度は、パネルで得られる最高レベルの輝度、すなわち、２５６階調が全て表示される場合の輝度であり、白輝度は、パネルで得られる最低レベルの輝度、すなわち、０階調である場合の輝度である。着色隔壁１２３’、１２４’と白色蛍光体とが採用された比較例では、明室コントラスト比が７５:１と測定されたが、着色隔壁１２３’、１２４’と共に着色蛍光体１２５、１２６が採用された本実施形態では、明室コントラスト比が９０:１と測定されて、映像品質が改善されたものとなった。一方、隔壁１２３’、１２４’の全てが着色されることも可能であるが、結局、表示面側で感知される隔壁１２３’、１２４’の着色効果が外光反射輝度に影響を与えることであるので、表示面側である隔壁１２３’、１２４’の上部のみが特定色で着色される変形も可能である。
【００３４】
また、本実施形態においても補色減算混合法の原理を適用して外光反射輝度をさらに減少させることができる。図８は、図７のＶＩＩＩ−ＶＩＩＩ線による垂直断面構造が示されている。図８を参照すれば、蛍光体１２５、１２６及び隔壁１２３’、１２４’は同一の第１色相で着色されており、前面基板１１０が前記第１色相と補色関係をなす第３色相で着色される場合、重なり合った領域での補色減算混合によって、表示面が全体的に黒色を帯びるので、外光吸収が促進される。前記第１色相と前記第３色相とは、例えば、青色−橙色の補色関係の組み合わせで選択される。特に、隔壁１２３’、１２４’の着色と前面基板１１０の着色とが補色減算混合されながら、発光領域及び非発光領域を包括する事実上全体表示面にわたって外光吸収が行われる。ここで、前面基板１１０の代わりに前方誘電体層１１１が着色されるか、または前面基板１１０と共に前方誘電体層１１１が着色される変形形態も可能である。
【００３５】
また、隔壁１２３’、１２４’と蛍光体１２５、１２６とが同一色で着色されてもよいが、これとは異なり、互いに異なる色で着色されても良い。このとき、隔壁１２３’、１２４’及び蛍光体１２５、１２６の着色は、前面基板１１０との減算混合を通じて低い明度の暗い色を帯びるように選択されることが望ましい。
【００３６】
〔第４実施形態〕
図９には、本発明の第４実施形態によるＰＤＰの分解斜視図が示されており、図１０は、図９のΧ−Χ線による垂直断面図が示されている。図面を参照すれば、所定間隔離隔して対向して配置された前面基板２１０及び背面基板２２０の間には、隔壁２２３、２２４によって画定された複数の放電セルＲ、Ｇ、Ｂが配列されている。隔壁２２３、２２４は、互いに直交するようにｘ方向に延びる垂直隔壁部２２３とｙ方向に延びる水平隔壁部２２４とを備えるマトリックスパターンに設けられる。前面基板２１０側には、一列の放電セルＲ、Ｇ、Ｂにわたって平行に延びる複数の放電電極対２１４が配置され、対をなす各放電電極２１２、２１３は、互いに接触するように対面している透明電極及びバス電極を備える。背面基板２２０側には、放電電極２１４と交差する方向に延びる複数のアドレス電極２２２が配置される。放電電極２１４及びアドレス電極２２２は、これらを埋め込む前方及び後方誘電体層２１１、２２１によって保護され、前方誘電体層２１１の底面には、ＭｇＯからなる保護膜２１５が形成されることが望ましい。
【００３７】
また、一方向に配列された放電セルＲ、Ｇ、Ｂを横切ってその発光色によってＲ、Ｇ、及びＢ蛍光体２２５Ｒ、２２５Ｇ、２２５Ｂに区分される第１蛍光体２２５が塗布されている。塗布された第１蛍光体２２５の種類によって、それぞれの放電セルＲ、Ｇ、Ｂは、一つの画素を構成する互いに異なる発光色のＲ、Ｇ、Ｂの副画素を構成する。一方、隣接した画素の間には、不純ガスの排気及び放電ガスの封入のための排気通路２５０が形成されている。
【００３８】
ディスペンサーを通じて一列の放電セルＲ、Ｇ、Ｂに対して第１蛍光体２２５が連続塗布される過程で、その塗布経路上に置かれた水平隔壁部２２４上には、第２蛍光体２２６が形成される。本実施形態では、水平隔壁部２２４上部に第２蛍光体２２６を収容できるグルーブ２２４’が、その長手方向に沿って平行に形成されるという点で前述の実施形態と相違している。
【００３９】
一般的に、水平隔壁部２２４上で外部に露出されている蛍光体２２６は、具体的な組成によってその表面電位が負（−）極性または正（＋）極性に帯電される傾向を有し、この場合、放電に参与する荷電粒子に静電気力を作用させて隔壁２２４を挟んで隣接した放電セルＲ、Ｇ、Ｂ間に誤放電を発生させる可能性がある。したがって、水平隔壁部２２４の上部に蛍光体２２６を収容できるグルーブ２２４’を形成して、蛍光体２２６の帯電特性が放電に影響を与えないように、蛍光体２２６を電気的に隠蔽することが望ましい。本実施形態においても、前面基板２１０と蛍光体２２５、２２６を互いに補色関係にある第１色相及び第２色相でそれぞれ着色することによって、重なり合った領域で補色間の減算混合によって外光吸収を促進することができる。
【００４０】
以上、本発明は、添付された図面を参照しつつ第１〜第４実施形態をについて説明されたが、これは本発明を例示的なものに過ぎず、当業者ならば、これから多様な変形及び均等な他の実施形態が可能であるという点が理解できるであろう。したがって、本発明の真の保護範囲は、特許請求の範囲によって決められなければならない。
【産業上の利用可能性】
【００４１】
本発明は、プラズマディスプレイパネルの関連技術分野に好適に用いられる。
【図面の簡単な説明】
【００４２】
【図１】本発明の第１実施形態によるＰＤＰの分解斜視図である。
【図２】図１のＩＩ−ＩＩ線による垂直断面図である。
【図３】図１のＩＩＩ−ＩＩＩ線による垂直断面図である。
【図４】図１に示すＰＤＰにおいて、蛍光体の塗布状態を説明するための模式的な平面図である。
【図５】減算混合及び補色関係を説明するために模式的に示す色相環である。
【図６】本発明の第２実施形態によるＰＤＰの垂直断面図である。
【図７】本発明の第３実施形態によるＰＤＰに関する模式的な平面図である。
【図８】図７のＶＩＩＩ−ＶＩＩＩ線による垂直断面図である。
【図９】本発明の第４実施形態によるＰＤＰの分解斜視図である。
【図１０】図９のＸ−Ｘ線による垂直断面図である。
【符号の説明】
【００４３】
１１０、２１０    前面基板、
１１１、２１１    前方誘電体層、
１１２、１１３、１１４、２１２、２１３、２１４    放電電極、
１１２ａ、１１３ａ  透明電極、
１１２ｂ、１１３ｂ    バス電極、
１１５、２１５    保護膜、
１２０、２２０    背面基板、
１２１、２２１    後方誘電体層、
１２２、２２２    アドレス電極、
１２３、２２３    垂直隔壁部、
１２４、２２４    水平隔壁部、
１２５、２２５    第１蛍光体、
１２６、２２６    第２蛍光体、
１３０    隔壁ブリッジ、
１５０、２５０    排気通路、
２２４’    グルーブ、
Ｒ、Ｇ、Ｂ    放電セル。
【図１】
2008117752.tif 000004
【図２】
2008117752.tif 000005
【図３】
2008117752.tif 000006
【図４】
2008117752.tif 000007
【図５】
2008117752.tif 000008
【図６】
2008117752.tif 000009
【図７】
2008117752.tif 000010
【図８】
2008117752.tif 000011
【図９】
2008117752.tif 000012
【図１０】
2008117752.tif 000013